(57)【要約】【課題】ファンへの電力供給の有無に関わらず、周辺機器の熱故障やタッキングを防止する画像形成装置を提供する。【解決手段】熱電変換素子１０２は一方の側面が定着器１１６から輻射熱にて温められ、熱電変換素子１０５は、一方の側面が排紙トレイ１０８上の記録シートＰ２の余熱にて温められ、また、何れも他方の側面が放熱フィン１０３によって冷却されることによって生じる温度差を利用して発電する。ファン１００は熱電変換素子１０２、１０５から給電を受けてダクト１０６内へ送風する。これによって、定着器１１６から排紙ローラ１０７に向かう記録シート、並びに排紙トレイ１０８上に載置された記録シートＰ２が冷却される。【選択図】図１
2010049005.tif 000002
【特許請求の範囲】
【請求項１】
トナー像を記録シートに熱定着する定着器と、
トナー像を熱定着された記録シートを排紙トレイ上へ導くダクト状の排紙経路と、
前記排紙経路を経由して、排紙トレイ上の記録シートへ送風するファンと、
定着器からの熱を利用して発電する第１の熱電変換素子と、
排紙トレイ上の記録シートの熱を利用して発電する第２の熱電変換素子と、
を備え、
前記ファンは、前記第１及び第２の熱電変換素子から給電を受けて送風する
ことを特徴とする画像形成装置。
【請求項２】
前記第１及び第２の熱電変換素子からの出力電力が所定量以上ならば、前記第１及び第２の熱電変換素子から給電を受けて蓄電し、
当該出力電力が所定量に満たなければ、前記ファンへ給電する蓄電池を備える
ことを特徴とする請求項１に記載の画像形成装置。
【請求項３】
前記第２の熱電変換素子は、排紙トレイの裏面に密着して配設される
ことを特徴とする請求項１に記載の画像形成装置。
【請求項４】
前記排紙トレイは、記録シートの排紙方向に直交する方向中央に、当該排紙方向に沿って延設され、排紙トレイ上方へ突出するリブ部が形成されており、
前記第２の熱電変換素子は、当該リブ部の内部に配設されている
ことを特徴とする請求項３に記載の画像形成装置。
【請求項５】
画像形成に供するトナーを貯蔵するトナーボトルを着脱できる画像形成装置であって、
装着されたトナーボトルへ定着器から熱が伝わるのを遮る平板な遮蔽部材を備え、
前記第１の熱電変換素子は、当該遮蔽部材のトナーボトル側に密着して配設される
ことを特徴とする請求項１に記載の画像形成装置。
【発明の詳細な説明】
【技術分野】
【０００１】
本発明は、画像形成装置に関し、特に、省電力化を図りながら、タッキングと冷却ファンの故障との双方を防止する技術に関する。
【背景技術】
【０００２】
近年、画像形成装置に対して、単位時間当たりの印刷枚数を増加させる高速化が強く要求されている。高速化を達成するためには、例えば、記録シート１枚当たりの定着時間を短縮することが考えられる。
具体的には、定着温度を上昇させれば、トナーをより早く溶融し記録シートに圧着することができる。また、ワックス成分を含有する重合トナーのように、より低温で溶融するトナーを用いて定着時間を短縮することも行われている。
【０００３】
しかしながら、定着温度を上昇させると、定着器周辺の機器が過熱して不具合を生じるおそれがある。
また、トナーの溶融温度と定着温度との温度差を大きくすると、トナーが十分に冷却、固化されないまま、記録シートが排出されることになる。すると、排紙トレイ上で重なり合う記録シートどうしがトナーによって貼り付くおそれがある（タッキング）。
【０００４】
また、カラー画像を形成する際にも、複数層からなるトナー像を記録シートに融着させるために、定着温度を高くせざるを得ず、同様の問題が生じる。
このような問題に対して、例えば、ファンにて通風されるダクト内に定着器を配置する技術が提案されている。このようにすれば、定着器からの熱をダクトによって遮蔽すると共に、定着器から排出されダクト内を通過する記録シートを冷却するので、当該機器の熱故障やタッキングを防止することができる。
【特許文献１】特開２００４−２１２７５３号公報
【発明の開示】
【発明が解決しようとする課題】
【０００５】
しかしながら、上記従来技術では、何らかの理由でファンへの給電が途絶すると、定着器からの熱を十分に遮蔽することができなくなり、周辺機器の過熱が生じる。その結果、例えば、ファンを回転駆動する制御ＩＣ（Integrated Circuit）が熱破壊されると、ファンへの宮殿が再開されてもファンが停止したままになるおそれがある。
また、画像形成装置の高速化が進むと、記録シートがダクト内を通過する時間が短縮されるので、記録シートを十分に冷却できなくなり、タッキングを防止することができなくなる。
【０００６】
本発明は、上述のような問題に鑑みて為されたものであって、主電力の途絶の有無に関わらず、定着装置の周辺機器の熱故障やタッキングを防止する画像形成装置を提供することを目的とする。
【課題を解決するための手段】
【０００７】
上記目的を達成するため、本発明に係る画像形成装置は、トナー像を記録シートに熱定着する定着器と、トナー像を熱定着された記録シートを排紙トレイ上へ導くダクト状の排紙経路と、前記排紙経路を経由して、排紙トレイ上の記録シートへ送風するファンと、定着器からの熱を利用して発電する第１の熱電変換素子と、排紙トレイ上の記録シートの熱を利用して発電する第２の熱電変換素子と、を備え、前記ファンは、前記第１及び第２の熱電変換素子から給電を受けて送風することを特徴とする。
【発明の効果】
【０００８】
このようにすれば、主電力が途絶しても熱電変換素子によりファンに給電し、排紙トレイ上の記録シートやファンそのものを冷却するので、タッキングやファン故障を防止することができる。
この場合において、前記第１及び第２の熱電変換素子からの出力電力が所定量以上ならば、前記第１及び第２の熱電変換素子から給電を受けて蓄電し、当該出力電力が所定量に満たなければ、前記ファンへ給電する蓄電池を備えるのが望ましい。
【０００９】
また、前記第２の熱電変換素子を排紙トレイの裏面に密着して配設すれば発電効率を向上させることができる。また、前記排紙トレイは、記録シートの排紙方向に直交する方向中央に、当該排紙方向に沿って延設され、排紙トレイ上方へ突出するリブ部が形成されており、前記第２の熱電変換素子を当該リブ部の内部に配設すればなお好適である。
また、画像形成に供するトナーを貯蔵するトナーボトルを着脱できる画像形成装置であって、装着されたトナーボトルへ定着器から熱が伝わるのを遮る平板な遮蔽部材を備え、前記第１の熱電変換素子は、当該遮蔽部材のトナーボトル側に密着して配設されることを特徴とする。このようにすれば、トナーボトル内のトナーが定着器からの熱によって融着するのを防ぐことができる。
【発明を実施するための最良の形態】
【００１０】
以下、本発明に係る画像形成装置の実施の形態について、図面を参照しながら説明する。
［１］画像形成装置の構成
先ず、本実施の形態に係る画像形成装置の構成について説明する。
図１は、本実施の形態に係る画像形成装置の主要な構成を示す図である。図１に示されるように、画像形成装置１は、ファン１００、蓄電池１０１、熱電変換素子１０２、１０５、放熱フィン１０３、１０４、ダクト１０６、排紙ローラ１０７、排紙トレイ１０８、イメージングユニット１１０Ｙ〜１１０Ｋ、露光器１１１、中間転写ベルト１１２、２次転写ローラ１１３、給紙カセット１１４、ピックアップローラ１１５、定着器１１６、クリーナ１１７及び制御ユニット１２０を備え、トナーボトル１１８Ｙ〜１１８Ｋが装着されている。
【００１１】
イメージングユニット１１０Ｙ〜１１０Ｋは、露光器１１１が形成した静電潜像を現像してイエロー（Ｙ）、マゼンタ（Ｍ）、シアン（Ｃ）及びブラック（Ｋ）の各色のトナー像を形成し、中間転写ベルト１１２上へ一次転写する。中間転写ベルト１１２上の残留トナーはクリーナ１１７にて除去される。
給紙カセット１１４は内部に記録シートＰ１を格納する。記録シートＰ１はピックアップローラ１１５によって１枚ずつ取り出され、搬送路へと送り出される。２次転写ローラ１１３は中間転写ベルト１１２上のトナー像を記録シート上へ静電転写する。
【００１２】
定着器１１６はトナー像を溶融し、記録シートに圧着する。その後、記録シートは排紙ローラ１０７にて排紙トレイ１０８上に排出される。
制御ユニット１２０は画像形成装置１全体の動作を統括する。また、トナーボトル１１８Ｙ〜１１８Ｋは着脱可能に装着されており、それぞれイメージングユニット１１０Ｙ〜１１０Ｋへ各色のトナーを供給する。
【００１３】
熱電変換素子１０２は、一方の側面が定着器１１６から輻射熱にて温められ、他方の側面が放熱フィン１０３によって冷却されることによって生じる温度差を利用して発電する。
また、熱電変換素子１０５は、一方の側面が排紙トレイ１０８上の記録シートＰ２の余熱にて温められ、他方の側面が放熱フィン１０４にて冷却されることによって生じる温度差を利用して発電する。
【００１４】
熱電変換素子１０２、１０５が発生させた電力はファン１００と蓄電池１０１とに供給される。蓄電池１０１は制御ユニット１２０の制御の下、ファン１００へ電力を供給する。
ファン１００は排紙ローラ１０７へ搬送される記録シート、並びに排紙トレイ１０８上に載置された記録シートＰ２へ風を送り、記録シートを冷却する。ダクト１０６は、記録シートの排紙ローラ１０７へ向かう記録シートの搬送経路を兼ねており、ファン１００が起こした風を記録シートに当てるための送風路となっている。
【００１５】
ダクト１０６の送風方向下流端は排紙ローラ１０７に向かっており、排紙ローラ１０７の隙間から排紙トレイ１０８上へ風が抜けるようになっている。このようにすれば、搬送経路（ダクト１０６内）を通過する記録シートと排紙トレイ１０８上の記録シートとをひとつのファン１００で冷却するので、記録シートを冷却するために要する部品点数や消費電力を低減することができる。また、ファン１００が発生させる騒音も低減することができる。
【００１６】
［２］ファン１００の給電システム
次に、ファン１００に電力を供給するための給電システムについて説明する。
図２は、給電システムの構成を示す図である。図２に示されるように、給電システム２は、蓄電池１０１、熱電変換素子１０２、放熱フィン１０３、スイッチ２０１及び板金部２０２からなっている。なお、説明を簡略にするために熱電変換素子１０５並びに放熱フィン１０４の図示は省略されている。
【００１７】
板金部２０２は定着器１１６とトナーボトル１１８Ｙ〜１１８Ｋとを隔離する。これによって、定着器１１６からトナーボトル１１８Ｙ〜１１８Ｋに伝わる熱量が低減され、トナーボトル１１８Ｙ〜１１８Ｋ内のトナーが過熱して融着するのが防止される。
熱電変換素子１０２はＰ型半導体片とＮ型半導体片とが交互に接続されてなる。Ｐ型半導体では正孔（ホール）が、Ｎ型半導体では電子が、それぞれ高温側から低温側へ移動する現象をゼーベック効果といい、正孔と電子との移動方向が互いに反対になるように半導体片を接続することによって、温度差を電位差に変換することができる。
【００１８】
なお、熱電変換素子１０２の高温側は絶縁性の接着剤によって板金部２０２に密着、固定されている。また、低温側には放熱フィン１０３が固定されている。これによって、より大きな温度差を熱電変換素子１０２に与えて、発電効率を向上させることができる。
熱電変換素子１０５も、板金部２０２に代えて排紙トレイ１０８の裏面に密着、固定されている他は、熱電変換素子１０２と同様の構成を備えている。熱電変換素子１０２、１０５は直列に回路接続されており、両素子が発生させる電位差の合計の電圧が出力される。
【００１９】
熱電変換素子１０２、１０５が発生させた電力はスイッチ２０１を介してファン１００に供給される。スイッチ２０１は制御ユニット１２０の制御下にあり、ファン１００を含む回路に蓄電池１０１を接続したり、切り離したりする。
画像形成時には、定着器１１６が高熱を発したり、高温の記録シートＰ２が排紙トレイ１０８上に排出されたりすることによって、熱電変換素子１０２、１０５が高電圧を発生させるので、蓄電池１０１がファン１００に直列に接続され、充電される。
【００２０】
待機時には、熱電変換素子１０２、１０５の発電電圧が低下するので、蓄電池１０１からも給電することによって、ファン１００を駆動し続ける。また、停電その他の理由により主電源からの電力供給が途絶した場合にも、熱電変換素子１０２、１０５及び蓄電池１０１からの給電によって、ファン１００が駆動され、排紙トレイ１０８上の記録シートＰ２が冷却されるので、トナーの融着によって、記録シートＰ２どうしが張り付くのを防止することができる。
【００２１】
［３］制御ユニット１２０の構成
次に、制御ユニット１２０の構成について説明する。制御ユニット１２０は、所謂コンピュータであって、図３に示されるように、ＣＰＵ（Central Processing Unit）３０１、ＲＯＭ（Read Only Memory）３０２、ＲＡＭ（Random Access Memory）３０３及びＩ／Ｏインタフェース（Input/Output Interface）３０４が内部バス３０５にて接続されてなり、Ｉ／Ｏインタフェース３０４を介してイメージングユニット１１８Ｙ〜１１８Ｋや給紙カセット１１４、スイッチ２０１等を制御する。
【００２２】
［４］給電システム２の制御
次に、制御ユニット１２０による給電システム２の制御について説明する。
図４は、給電システム２の制御手順を示すフローチャートである。図４に示されるように、制御ユニット１２０は、先ず、画像形成処理を実行中であるか否かを確認し、画像形成中ならば（Ｓ４０１：Ｙｅｓ）、スイッチ２０１を操作して、熱電変換素子１０２、１０５からの電力により蓄電池１０１を充電する（Ｓ４０２）。そして、画像形成を完了するまで（Ｓ４０３：Ｎｏ）、蓄電池１０１を充電し続ける。
【００２３】
画像形成を完了したら（Ｓ４０３：Ｙｅｓ）、タイマをセットした後（Ｓ４０４）、スイッチ２０１を操作して、蓄電池１０１からファン１００へ給電する（Ｓ４０５）。その後、タイマがタイムアウトしたら（Ｓ４０６：Ｙｅｓ）、ステップＳ４０１へ進み、上記の処理を繰り返す。
なお、タイマにセットする時間は、排紙トレイ１０８上の記録シートＰ２がタッキングを起こさない程度にまで冷却するに足る時間である。
【００２４】
このようにすれば、主電源の途絶の有無に関わらず、熱電変換素子１０２、１５０と蓄電池１０１とからの給電によりファン１００を駆動して、排紙トレイ１０８上の記録シートＰ２を冷却するので、主電源から電力消費を抑えながら、記録シートＰ２のタッキングを防止することができる。
また、主電源が途絶しても、ファン１００が回転駆動されるので、ファン１００が過熱、故障するおそれをなくすことができる。
【００２５】
［５］変形例
以上、本発明を実施の形態に基づいて説明してきたが、本発明が上述の実施の形態に限定されないのは勿論であり、以下のような変形例を実施することができる。
（１）  上記実施の形態においては、定着器１１６から排紙ローラ１０７へ向かう搬送経路上で記録シートを冷却するファンが、排紙トレイ１０８上の記録シートＰ２をも冷却する場合について説明したが、本発明がこれに限定されないのは言うまでもなく、搬送経路上で記録シートを冷却するファンとは別に排紙トレイ１０８上の記録シートを冷却するファンを設けても良い。
【００２６】
図５は、本変形例に係る画像形成装置のファン設置位置を示す図である。図５に示されるように、画像形成装置５には、定着器５０３から排紙ローラ５０４に至る搬送系路上で記録シートを冷却するファン５０１の他、排紙トレイ５０５上の記録シートＰ３を冷却するファン５０２が設けられている。
ファン５０１、５０２は不図示の熱電変換素子及び当該熱電変換素子にて充電される蓄電池から電力供給を受けて回転駆動される。このようにファン５０２を設ければ、排紙トレイ５０５上の記録シートＰ３を更に効率良く冷却して、タッキングを防止することができる。
【００２７】
（２）  上記実施の形態においては、画像形成動作の完了と当該完了からの経過時間とによって蓄電池１０１の充放電を切り替える場合について説明したが、本発明がこれに限定されないのは言うまでもなく、他の事象を契機として蓄電池１０１の充放電を切り替えても良い。
他の事象としては、例えば、ファン１００周辺の機内温度や排紙トレイ１０８の表面温度の何れか一方、または両方が所定温度よりも高かければ充電し、低くければ放電しても良い。これらの温度は温度センサにて検出しても良いし、熱電変換素子１０２、１０４が出力する電圧値から推測しても良い。
【００２８】
（３）  上記実施の形態においては、電力が供給される限りファンを駆動し続ける場合について説明したが、本発明がこれに限定されないのは言うまでもなく、ファン１００周辺の機内温度や排紙トレイ１０８の何れか一方、または両方の表面温度が高かければファンを回転させ、低くければファンを停止しても良い。このようにすれば、ファンの故障や記録シートのタッキングを防止すると同時に、ファンからの騒音を低減することができる。
【００２９】
（４）  上記実施の形態においては、特に言及しなかったが、排紙トレイ１０８は以下に述べるような形状をとっても良い。
図６は、本変形例に係る排紙トレイの形状を示す図であって、（ａ）は外観斜視図、（ｂ）はＡ−Ａ線における矢視断面図である。図６（ａ）に示されるように、排紙トレイ６には記録シートの排出方向に沿って中央部分にリブ６０１が設けられており、リブ６０１より両横は用紙受け部６０２となっている。
【００３０】
このようなリブ６０１を設ければ、排出された記録シートがその中央部分にて支持され、他の部分がほとんど用紙受け部６０２から浮いた状態で、排紙トレイ６上に載置される。従って、記録シートと用紙受け部６０２との間に空気を流通させることができるので、より早く記録シートを冷却することができる。
また、図６（ｂ）に示されるように、リブ６０１の背面には熱電変換素子６１０が貼着されており、熱電変換素子６１０の、リブ６０１と反対側には放熱フィン６１１が固定されている。このようにすれば、リブ６０１には記録シートが密着するので、熱電変換素子６１０に熱が伝えられる一方、放熱フィン６１１にて熱電変換素子６１０の他方の側が冷却される。
【００３１】
よって、熱電変換素子６１０に加わる温度が大きくなるので、効率良く発電される。
（５）  上記実施の形態においては、排紙トレイ１０８が画像形成装置１本体と一体になっている場合について説明したが、これに加えて画像形成装置の外壁面に突出するように排紙トレイ（以下、「外部トレイ」という。）が設けられている場合には以下のようにしても良い。
【００３２】
図７は、本変形例に係る外部トレイの形状を示す図であって、（ａ）は外部トレイのみの外観斜視図、（ｂ）は使用状態における断面図である。図７（ａ）に示されるように、外部トレイ７は、記録シートが載置される底板７０１、画像形成装置の外壁面に支持されるためのフック７０２及び当該外壁面に当接する突起部７０３を備えている。
図７（ｂ）に示されるように、外部トレイ７はフック７０２を画像形成装置の外壁７２０に係合させ、自重で突起部７０３を外壁７２０に当接させることによって、外壁７２０に支持される。排紙ローラ７２１は記録シートＰ４を外部トレイ７上に排出する。この記録シートＰ４の重みによっても突起部７０３を外壁７２０に当接させる。
【００３３】
底板７０１の下面にはほぼ全面に亘ってシート状の熱電変換素子７１０が貼着されている。また、熱電変換素子７１０の、底板７０１とは反対側の主面には放熱フィン７１１が固定されている。一般的な外部トレイと同様に、外部トレイ７もまた軽量肉薄の樹脂製なので、外部トレイ７上の記録シートＰ４の熱は熱電変換素子７１０に直ちに伝導し、発電が促される。
【００３４】
熱電変換素子７１０が発生させた電力は不図示の電線を通してファンを回転駆動する。なお、画像形成装置本体と一体になっている排紙トレイとは異なって、外部トレイでは熱がこもらずに放熱されやすいので、記録シートが速やかに冷却される。従って、ファンにて外部トレイ上の記録シートを冷却することは必ずしも要求されない。
しかしながら、本変形例のように、熱電変換素子７１０にてファンに給電すれば、一体型トレイ上の記録シートをより確実に冷却してタッキングを防止することができる。
【００３５】
（６）  上記実施の形態においては板金部２０２にて定着器１１６とトナーボトル１１８Ｙ〜１１８Ｋとを隔離する場合について説明したが、本発明がこれに限定されないのは言うまでもなく、これに加えて以下のようにしても良い。
すなわち、排紙トレイ１０８の背面に通風するファンやダクトを設けても良い。このようにすれば、放熱フィン１０３、１０４が冷却されて、熱電変換素子１０２、１０５に生じる温度差が大きくなるので、より大きな電力を発生させることができる。また、トナーボトル１１８Ｙ〜１１８Ｋも冷却されるので、トナーボトル１１８Ｙ〜１１８Ｋ内のトナーが融着するのを防止することができる。
【００３６】
（７）  上記実施の形態においては、蓄電池１０１を画像形成中ならば充電し、画像形成を完了したら放電する場合について説明したが、本発明がこれに限定されないのは言うまでもなく、画像形成動作の有無に代えて、他の条件で蓄電池の充放電を制御しても良い。
例えば、熱電変換素子１０２、１０５が出力する電圧の大小や、記録シートＰ２の温度の高低で蓄電池の充放電を制御しても良い。このようにしても、熱電変換素子１０２、１０５からの給電量が大きい場合には余剰電力を蓄電し、当該給電量が小さくなった場合には不足電力を補うことができる。
【００３７】
（８）  上記実施の形態においては特に詳述しなかったが、排紙トレイ１０８上の記録シートＰ２へ排紙ローラ１０７を経由して送風する際に、例えば、排紙ローラは以下のような形状としてもよい。
図８は、本変形例に係る画像形成装置の排紙ローラ付近の形状を示す図である。図８に示されるように、画像形成装置８は駆動軸８０３に回転駆動される駆動ローラ８０１と、支軸８０４にて回動自在に支持された従動ローラ８０２とからなる排紙ローラを備えており、排紙ローラの上下は化粧板８０５、８０６にて覆われている。画像形成の際には、駆動ローラ８０１が回転駆動され、従動ローラ８０２がこれに従動回転することによって、記録シートが排出される。
【００３８】
駆動ローラ８０１は複数の短ローラからなっており、短ローラ間は駆動軸が露わになっているものの、化粧板８０５、８０６の間に隙間が設けられている。この隙間を通って排紙トレイ上の記録シートへ風が送られる。
【産業上の利用可能性】
【００３９】
本発明に係る画像形成装置は、省電力化を図りながら、タッキングと冷却ファンの故障との双方を防止する画像形成装置として有用である。
【図面の簡単な説明】
【００４０】
【図１】本発明の実施の形態に係る画像形成装置の主要な構成を示す図である。
【図２】ファン１００に電力を供給する給電システムの主要な構成を示す図である。
【図３】ファン１００等を制御する制御ユニット１２０の主要な構成を示す図である。
【図４】給電システム２の制御手順を示すフローチャートである。
【図５】本発明の変形例（１）に係る画像形成装置のファン設置位置を示す図である。
【図６】本発明の変形例（４）に係る排紙トレイの形状を示す図であって、（ａ）は外観斜視図、（ｂ）はＡ−Ａ線における矢視断面図である。
【図７】本発明の変形例（５）に係る外部トレイの形状を示す図であって、（ａ）は外部トレイのみの外観斜視図、（ｂ）は使用状態における断面図である。
【図８】本発明の変形例（８）に係る画像形成装置の排紙ローラ付近の形状を示す図である。
【符号の説明】
【００４１】
１、５、８…………………画像形成装置
２……………………………給電システム
６、１０８、５０５………排紙トレイ
７……………………………外部トレイ
１００、５０１、５０２…ファン
１０１………………………蓄電池
１０２、１０５、６１０…熱電変換素子
１０３、１０４、６１１…放熱フィン
１０６………………………ダクト
１０７、５０４、７２１…排紙ローラ
１１０Ｙ〜１１０Ｋ………イメージングユニット
１１１………………………露光器
１１２………………………中間転写ベルト
１１３………………………２次転写ローラ
１１４………………………給紙カセット
１１５………………………ピックアップローラ
１１６、５０３……………定着器
１１７………………………クリーナ
１１８Ｙ〜１１８Ｋ………トナーボトル
１２０………………………制御ユニット
２０１………………………スイッチ
２０２………………………板金部
３０１………………………ＣＰＵ
３０２………………………ＲＯＭ
３０３………………………ＲＡＭ
３０４………………………Ｉ／Ｏインタフェース
３０５………………………内部バス
６０１………………………リブ
６０２………………………用紙受け部
７０１………………………底板
７０２………………………フック
７０３………………………突起部
７２０………………………外壁
８０１………………………駆動ローラ
８０２………………………従動ローラ
８０３………………………駆動軸
８０４………………………支軸
８０５、８０６……………化粧板
Ｐ１〜Ｐ４…………………記録シート
【図１】
2010049005.tif 000003
【図２】
2010049005.tif 000004
【図３】
2010049005.tif 000005
【図４】
2010049005.tif 000006
【図５】
2010049005.tif 000007
【図６】
2010049005.tif 000008
【図７】
2010049005.tif 000009
【図８】
2010049005.tif 000010